(57)【要約】【課題】  本発明は、入力された画像が利用者自身によって遮られときに、見えなくなった画像を第３者から確実に見えるようにする電子ボード装置を提供する。【解決手段】  本電子ボード装置は、タッチパネル４が付設された画像を表示する表示装置１と、利用者Ａの位置を検出する利用者検出装置１１と、画像の表示を制御する制御装置１０とを備える。制御装置１０は、検出された利用者Ａの位置から利用者Ａによって遮蔽される画面上の遮蔽領域１６と、遮蔽領域１６にある画像を表示する表示領域を特定する機能を備える。  制御装置１０は、遮蔽領域１６に入力された画像が表示されているかを確認し、画像が表示されているとき、遮蔽されていない領域に画像を表示する表示領域１８を特定し、遮蔽領域１６内の画像を表示させる。【選択図】図４
2009071557.tif 000002
【特許請求の範囲】
【請求項１】
画面に入力された画像を表示する表示装置と、利用者の位置を検出する利用者検出装置と、前記画像の表示を制御する制御装置とを備え、
前記制御装置は、検出した利用者の位置から前記利用者によって画面が遮蔽される遮蔽領域を特定し、前記遮蔽領域内に表示された画像を前記遮蔽領域以外の表示領域に表示させることを特徴とする電子ボード装置。
【請求項２】
利用者が画像を入力しているとき、制御装置は、前記入力画像を表示領域に表示させることを特徴とする請求項１に記載の電子ボード装置。
【請求項３】
表示装置は、入力される画像の画面上の位置を検出し、
制御装置は、検出した入力位置から前記入力画像が遮蔽領域にあるか否かを判断し、
前記入力画像が遮蔽領域にあるときは、前記入力画像を前記遮蔽領域に表示させると共に、前記入力画像を表示領域に表示させ、
前記入力画像が遮蔽領域にないときは、前記入力画像を前記入力位置に表示させることを特徴とする請求項２に記載の電子ボード装置。
【請求項４】
制御装置は、画面内で画像が表示されていない領域を検出し、前記領域を表示領域に決定することを特徴とする請求項１〜３のいずれかに記載の電子ボード装置。
【請求項５】
利用者の身体情報を入力する入力装置を備え、
制御装置は、入力された身体情報と利用者の位置から遮蔽領域を特定することを特徴とする請求項４に記載の電子ボード装置。
【請求項６】
利用者検出装置は焦電センサとされ、
前記利用者検出装置は、表示装置の画面に沿って配置されたことを特徴とする請求項４に記載の電子ボード装置。
【請求項７】
利用者検出装置は圧力検出センサとされ、
前記利用者検出装置は、表示装置近傍の床面に配置されたことを特徴とする請求項４に記載の電子ボード装置。
【発明の詳細な説明】
【技術分野】
【０００１】
本発明は、利用者によって遮られた遮蔽領域内の画像を、遮蔽領域以外の領域に表示する電子ボード装置に関する。
【背景技術】
【０００２】
近年、大画面のＬＣＤを有する表示装置にタッチパネルを備え、タッチペンといった入力ツールによってタッチパネルに触れた位置の軌跡を表示する電子黒板もしくは電子ホワイトボードと称される電子ボード装置が販売されている。このような電子ボード装置は、商品発表や企画説明といったプレゼンテーションで利用されることが多い。
【０００３】
しかし、電子ボード装置は、例えば、利用者が画像の入力を行なうとき、入力している画像が利用者自身によって画面が遮られ、入力された画像がプレゼンテーションに参加する第３者から見ることができないという問題がある。
【０００４】
一方、画像が利用者やものといった物体に遮られて見えなくなったときに、見える位置に表示させる技術がある。例えば、特許文献１には、画面を遮る物体の位置を検出し、その検出結果に基づいて画面上の画像の表示位置を変更することで、物体により画面が遮られた画像を利用者に見えるようにする技術が開示されている。
【特許文献１】特開平０４−１５１３１号公報
【発明の開示】
【発明が解決しようとする課題】
【０００５】
しかしながら、特許文献１は、物体の位置に合わせて画像全体の表示位置を変更するため、例えば、画像の一部が物体によって遮られて利用者から見えなくなっている場合であっても、画像全体を利用者から見える位置に表示させる。そのため、画像を表示できる領域、すなわち、画像が見える領域が画像全体を表示するための領域よりも小さい場合は、表示位置を変更することができない問題がある。
【０００６】
本発明は、上記に鑑み、入力された画像が利用者自身によって遮られ、その画像が第３者から見えなくなったときに、見えなくなった画像を第３者から確実に見えるようにする電子ボード装置の提供を目的とする。
【課題を解決するための手段】
【０００７】
上記目的を達成するために、本発明では、画面に入力された画像を表示する表示装置と、利用者の位置を検出する利用者検出装置と、前記画像の表示を制御する制御装置とを備え、前記制御装置は、検出した利用者の位置から前記利用者によって画面が遮蔽される遮蔽領域を特定し、前記遮蔽領域内に表示された画像を前記遮蔽領域以外の表示領域に表示させることを特徴とする。
【０００８】
表示装置は、接触あるいは非接触式の入力可能な画面を備える。制御装置は、前記画面を通じて画像の入力を受け付ける。
【０００９】
利用者検出装置は、表示装置の画面に対向する位置にいる利用者を検出するセンサであって、例えば、焦電センサや圧力検出センサが挙げられる。利用者検出装置が焦電センサの場合は表示装置の画面に沿って配置され、利用者検出装置が圧力検出センサの場合は表示装置近傍の画面の前側の床面に配置される。
【００１０】
制御装置は、利用者検出装置から検出した利用者の位置に基づいて、利用者によって画面が遮蔽される領域、すなわち、画面の遮蔽領域を特定する。制御装置は、画像が特定した遮蔽領域に表示されているか否かを判断する。制御装置は、遮蔽領域に画像があるときは、前記画像を遮蔽領域外に表示させ、遮蔽領域に画像がないときは、前記画像をそのまま表示させる。
【００１１】
制御装置は、利用者によって遮蔽された遮蔽領域内の画像のみを遮蔽領域外に表示させる。そのため、第３者は、常に画面に表示されている画像を見ることができる。
【００１２】
利用者が画像を入力しているときは、利用者が立ち位置を注意しないと、入力している画像、すなわち、入力画像が利用者によって遮蔽されてしまい、第３者から見えない場合が多い。そこで、制御装置は、利用者が画像を入力しているときに、前記入力画像を表示領域に表示させることを特徴とする。すなわち、制御装置は、画像を入力している画面上の位置に表示させると共に、前記入力画像を表示領域にも表示させる。
【００１３】
表示領域とは、遮蔽領域内の画像を表示する領域である。詳しくは、画像を入力している位置に入力画像を表示するための領域ではなく、遮蔽領域にある画像（以下、隠れ画像）を遮蔽領域以外の遮蔽されていない位置に表示するための領域である。
【００１４】
表示装置は、入力される画像の画面上の位置を検出する。制御装置は、検出した画面上の入力画像の入力位置を表示装置から受信する。制御装置は、受信した入力画像の入力位置から前記入力画像が遮蔽領域にあるか否かを判断する。前記入力画像が遮蔽領域にあるときは、前記入力画像を前記入力位置に表示させると共に、前記入力画像を表示領域に表示させる。前記入力画像が遮蔽領域にないときは、前記入力画像を前記入力位置に表示させ、表示領域を表示しない。
【００１５】
利用者は、立ち位置を気にすることなく、画像を入力することができる上、入力している画像を確認しながら入力することができる。また、第３者は、現在入力している画像を即座に確認することができる。
【００１６】
画像を表示領域に表示させる場合、制御装置は、画面内で画像が表示されていない領域を検出し、前記領域を表示領域に決定することを特徴とする。
【００１７】
制御装置は、画面上に表示されている画像の位置を確認する。そして、制御装置は、遮蔽領域に表示されている画像が表示できる領域があるか否かを検出する。遮蔽領域に表示されている画像が表示できる領域を検出すると、制御装置は、検出した領域を表示領域に決定する。
【００１８】
このとき、制御装置は、遮蔽領域に表示されている入力画像を表示するための領域を確認する。検出した領域が遮蔽領域に表示されている入力画像を表示するための領域よりも小さかった場合、制御装置は、表示領域に表示する画像を縮小する。遮蔽領域に表示されている入力画像が表示できる領域が検出できなかった場合、制御装置は、画面上に表示されている入力画像に重ねた領域を表示領域に決定する。あるいは、画面上に表示される画像全体を縮小し、遮蔽領域に表示されている入力画像を表示するための領域を確保する。
【００１９】
利用者の身体情報を入力する入力装置を備え、制御装置は、入力された身体情報と利用者の位置から遮蔽領域を特定することを特徴とする。制御装置は、検出した利用者の位置と入力された利用者の身体情報とから、より正確な遮蔽領域を特定することができる。
【発明の効果】
【００２０】
本発明によると、制御装置が、利用者によって遮蔽された画像を、画面上で利用者によって遮蔽されていない領域に表示するので、第３者は、画面上に表示された画像を確実に見ることができる。
【発明を実施するための最良の形態】
【００２１】
〔第１実施形態〕
以下、本発明の第１実施形態の電子ボード装置を詳細に説明する。
【００２２】
本実施形態の電子ボード装置は、指や専用のタッチペンといった入力ツールによって画面に入力された画像を表示するものである。また、本電子ボード装置は、表示された画像が利用者Ａによって遮蔽され、第３者が見ることができなくなったときに、利用者Ａによって遮蔽された領域にある画像を第３者から見える位置に表示させる機能を備える。
【００２３】
電子ボード装置は、図１および図２に示すように、画像を表示する表示装置１と、表示装置１を支持する台座２と、利用者Ａの位置を検出する利用者検出装置１１と、それら装置を制御する制御装置１０とから構成される。
【００２４】
表示装置１は、画像を表示する画面を有する表示部３と、表示部３の画面表面を覆うように取り付けられたタッチパネル４とから構成される。
【００２５】
表示部３は、例えば、ＣＲＴディスプレイや液晶ディスプレイ等であり、制御装置１０からの指示に基づいて、入力された画像や拡大／縮小といった処理をした結果等を表示する。
【００２６】
タッチパネル４は、専用の透明なスクリーンから形成される。タッチパネル４は、図３に示すように、赤外線等の光を投射するＬＥＤアレイ１２ｘ，１２ｙと、ＬＥＤアレイ１２ｘ，１２ｙから投射された光を受光するフォトトランジスタアレイ１３ｘ，１３ｙとを備える。ＬＥＤアレイ１２ｘ，１２ｙおよびフォトトランジスタアレイ１３ｘ，１３ｙによって、タッチパネル４に対する入力操作を検出する入力センサが構成される。
【００２７】
ＬＥＤアレイ１２ｘ，１２ｙは、表示装置１の画面のＸ方向に光を投射するＸ方向ＬＥＤアレイ１２ｘと、Ｙ方向に光を投射するＹ方向ＬＥＤアレイ１２ｙとから構成される。各ＬＥＤアレイ１２ｘ，１２ｙは、タッチパネル４の各辺に沿って複数備えられる。Ｘ方向ＬＥＤアレイ１２ｘは、タッチパネル４の下辺に配置され、Ｙ方向ＬＥＤアレイ１２ｙは、タッチパネル４の左辺に配置される。
【００２８】
フォトトランジスタアレイ１３ｘ，１３ｙは、Ｘ方向ＬＥＤアレイ１２ｘから投射された光を受光するＸ方向フォトトランジスタアレイ１３ｘと、Ｙ方向ＬＥＤアレイ１２ｙから投射された光を受光するＹ方向フォトトランジスタアレイ１３ｙとから構成される。各フォトトランジスタアレイ１３ｘ，１３ｙは、タッチパネル４の各辺に沿って複数備えられる。Ｘ方向フォトトランジスタアレイ１３ｘは、タッチパネル４の上辺に配置され、Ｙ方向フォトトランジスタアレイ１３ｙは、タッチパネル４の右辺に配置される。
【００２９】
入力センサは、指や専用のタッチペンといった入力ツールで触れた位置を赤外線遮断方式によって検出する。具体的には、利用者Ａが入力ツールによってタッチパネル４の表面に触れると、ＬＥＤアレイ１２ｘ，１２ｙから投射された光が、入力ツールにより遮断される。そのため、一部のフォトトランジスタアレイ１３ｘ，１３ｙでは、光を受光することができない。ＬＥＤアレイ１２ｘ，１２ｙから投射される光を受光しなかったフォトトランジスタアレイ１３ｘ，１３ｙの座標を確認し、その座標を入力ツールが触れた位置の座標と特定する。
【００３０】
台座２は、床面と接触する基台５と、基台５と表示装置１を連結する２つの脚部６を備える。基台５は、底面と上面が平面状で、上面が底面よりも小さく形成された台形状の土台である。
【００３１】
基台５の底面には、表示装置１の移動を容易にするための移動用車輪８（キャスタ）と、地震や移動の際に表示装置１が転倒しないようにするための転倒防止脚とを備える。基台５の上面には、表示装置１に表示した画像をプリントするプリンタやＰＣ等の外部端末機器と通信する通信機器といった電子機器９が配設される。
【００３２】
利用者検出装置１１は、表示装置１の画面に対向する位置にいる利用者Ａ、例えば、画面に対して画像を入力する利用者Ａの位置を検出する。利用者検出装置１１は、図４に示すように、複数の圧力検出センサ１４が配列されたシートスイッチとされる。利用者検出装置１１は、電子ボード装置の前面側床面に設置される。利用者検出装置１１の幅は、表示装置１の幅と同じとされる。なお、利用者検出装置１１は、図５に示すように、制御装置１０のスイッチＩ／Ｆ１５に接続される。
【００３３】
利用者検出装置１１は、シートスイッチの上に利用者Ａが立つ位置にある圧力検出センサ１４が、利用者Ａの自重によって押圧されて接点が接続（ＯＮ）することで、表示装置１の画面に対する利用者Ａの立ち位置を検出する。例えば、各圧力検出センサ１４の位置が表示装置１に対する利用者Ａの立ち位置座標とした場合、図４中では、利用者Ａの立ち位置座標はＸ２１〜Ｘ２２となる。
【００３４】
なお、利用者検出装置１１は、複数の圧力検出センサ１４が配列されたシートスイッチに限られることは無く、例えば、焦電センサ１７であっても良い。焦電センサ１７は、人体から放射される赤外線を検知する赤外線センサである。
【００３５】
この場合、利用者検出装置１１は、図６に示すように、表示装置１の下端に複数の焦電センサ１７が配置される。利用者検出装置１１の幅は、表示装置１の幅と同じとされる。なお、利用者検出装置１１は、図７に示すように、制御装置１０のスイッチＩ／Ｆ１５に接続される。
【００３６】
利用者検出装置１１は、表示装置１の前面に利用者Ａが立つ位置にある焦電センサ１７が、利用者Ａから放射される赤外線を検出することで、表示装置１に対する利用者Ａの立ち位置を検出する。
【００３７】
制御装置１０は、マイクロコンピュータのＣＰＵ、ＲＯＭ、ＲＡＭから構成される。制御装置１０は、タッチパネル４、利用者検出装置１１、表示部３、電子機器９といった外部装置に通信可能に接続される。
【００３８】
制御装置１０は、タッチパネル４の入力センサからの位置情報に基づいて、入力された画像を表示装置１に表示させる。具体的には、利用者Ａが入力ツールでタッチパネル４の表面をなぞることにより、入力センサは、その軌跡を連続した座標として検出する。制御装置１０は、利用者Ａが描いた図形や文字といった入力画像を特定して、位置情報から得られた入力位置に入力画像を表示させる。
【００３９】
制御装置１０は、図４に示すように、スイッチＩ／Ｆ１５を介して利用者検出装置１１から入力された利用者Ａの立ち位置座標に基づいて、利用者Ａによって画面が遮蔽される遮蔽領域１６を特定する。具体的には、制御装置１０は、利用者Ａによって押圧された複数の圧力検出センサ１４の左右端の座標から特定する。すなわち、利用者検出装置１１から利用者Ａの立ち位置座標を受信する。制御装置１０は、受信した立ち位置座標から、利用者Ａによって押圧された圧力検出センサ１４の最も左側の座標と、最も右側の座標を抽出する。そして、制御装置１０は、抽出した座標と一致する画面上の範囲を左右の範囲とし、画面の最上端から最下端までの全範囲を上下方向の範囲として遮蔽領域１６を特定する。
【００４０】
制御装置１０は、遮蔽領域１６に表示されている画像（以下、隠れ画像と言う）があるか否かを確認する。具体的には、制御装置１０は、画像が遮蔽領域１６にあるか否かを確認する。画像が遮蔽領域１６内にあるとき、制御装置１６は、隠れ画像を抽出して、メモリに記憶する。
【００４１】
制御装置１０は、隠れ画像を遮蔽領域１６以外の画面上に表示させるための表示領域１８を特定する。具体的には、制御装置１０は、画像が何も表示されていない空白領域を検出する。そして、制御装置１０は、遮蔽領域１６の大きさに応じて、空白領域を表示領域１８とするか否かを決める。空白領域が遮蔽領域１６よりも大きい場合、空白領域を表示領域１８とする。
【００４２】
空白領域が検出できなかった場合、すなわち、画像が表示されていない領域がない場合あるいは遮蔽領域１６にある画像を表示するだけの領域がない場合、すなわち、空白領域が遮蔽領域１６よりも狭い場合、制御装置１０は、遮蔽領域１６にある画像が表示できるように、表示されている画像の位置や大きさ等を変更する。
【００４３】
具体的には、空白領域がない場合、画面に表示されている画像全てを縮小して、画面に余白を形成する。そして、制御装置１０は、余白に表示領域１８を区画して、隠れ画像を表示させる。または、表示されている画像の上に重なるように表示領域１８を形成する。この場合、表示領域１８は、画面の端に位置させることが好ましい。そして、制御装置１０は、特定した表示領域１８に隠れ画像を表示させる。
【００４４】
隠れ画像を表示させるだけの領域がない場合、制御装置１０は、隠れ画像を表示領域１８に表示できる大きさに縮小し、隠れ画像を表示領域１８に表示させる。あるいは、制御装置１０は、隠れ画像の一部のみ表示させる。そして、その領域内で、画像をスクロールさせて表示させる。
【００４５】
利用者Ａが画面に画像を書き込んでいる場合、制御装置１０は、入力している最中の画像が遮蔽領域１６にあるか否かを確認する。制御装置１０は、入力画像が遮蔽領域１６にあると判断すると、入力画像を入力している位置、すなわち、入力位置に表示させると共に、表示領域１８にも表示させる。入力画像が遮蔽領域１６にないと判断すると、入力画像を入力位置に表示させ、表示領域１８には表示しない。
【００４６】
次に、図９を用いて、電子ボード装置の動作について説明する。なお、説明の便宜上、制御装置１０は、画像が表示されていない領域に表示領域１８を特定する。また、利用者検出装置１１は、圧力検出センサ１４が配列されたシートスイッチとする。
【００４７】
制御装置１０は、電子ボード装置の近傍に利用者Ａがいるか否かを利用者検出装置１１によって確認する（Ｓ１１０）。
【００４８】
利用者検出装置１１によって利用者Ａが検出されると、制御装置１０は、検出された利用者Ａの位置の座標を確認する。そして、利用者Ａの位置の座標から、利用者Ａによって遮蔽される画面上の遮蔽領域１６を特定する（Ｓ１２０）。制御装置１０は、遮蔽領域１６に画像が表示されているかを確認し、表示されている場合、その隠れ画像を抽出する。
【００４９】
制御装置１０は、遮蔽領域１６に応じて表示領域１８を特定する。そして、制御装置１０は、表示領域１８に抽出した隠れ画像を表示させる（Ｓ１３０）。このとき、遮蔽領域１６にも同じ画像が表示されている。
【００５０】
これにより、電子ボード装置は、利用者Ａによって画面の一部が遮蔽された場合であっても、遮蔽領域１６にある画像は表示領域１８に表示されるため、常に画像を第３者に対して見せることができる。
【００５１】
〔第２実施形態〕
次に、図８および図１０を用いて、第２実施形態の電子ボードについて説明する。なお、第１実施形態と同一部分には同一符号を付して、説明は省略し、異なる部分についての説明を行なう。
【００５２】
第２実施形態の電子ボードは、遮蔽領域１６に入力している画像をリアルタイムに表示領域１８に表示させる機能を備えた以外は第１実施形態と同様である。
【００５３】
本実施形態の電子ボードは、図８に示すように、利用者Ａが画像を遮蔽領域１６に入力している場合、制御装置１０は、入力画像を入力位置に表示させると共に、表示領域１８に入力している画像をリアルタイムに表示させる。遮蔽領域１６にない場合、すなわち、図４に示すように、画像を利用者Ａの立ち位置からずらして入力している場合、制御装置１０は、入力画像を入力位置に表示させる。
【００５４】
次に、図１０を用いて、電子ボード装置の動作について説明する。なお、説明の便宜上、制御装置１０は、画像が表示されていない領域に表示領域１８を特定する。また、利用者検出装置１１は、圧力検出センサ１４が配列されたシートスイッチとする。
【００５５】
利用者Ａが画像を入力するとき、タッチパネル４は、利用者Ａが画像を入力しているか否かを確認する（Ｓ２００）。
【００５６】
利用者Ａによる画像の入力を検出すると、制御装置１０は、利用者Ａの位置を確認する（Ｓ２１０）。利用者Ａを検出できない場合、すなわち、利用者Ａが画面と対向する位置にいない場合、制御装置１０は、入力位置に入力画像を表示させる（Ｓ２４０）。
【００５７】
利用者検出装置１１によって利用者Ａが検出されると、制御装置１０は、利用者Ａの位置の座標を確認する。そして、利用者Ａの位置の座標から、利用者Ａによって遮蔽される画面上の遮蔽領域１６を特定する（Ｓ２２０）。
【００５８】
制御装置１０は、遮蔽領域１６内に入力画像が位置しているかを確認する（Ｓ２３０）。遮蔽領域１６内に入力画像が位置していないと判断すると、制御装置１０は、入力位置に入力画像を表示させる（Ｓ２４０）。
【００５９】
遮蔽領域１６内に入力画像が位置していると判断すると、制御装置１０は、遮蔽領域１６に応じて表示領域１８を特定する。そして、制御装置１０は、遮蔽領域１６内に入力画像を表示させると共に、表示領域１８に遮蔽領域１６の隠れ画像を表示して、入力中の画像もリアルタイムに表示させる（Ｓ２５０）。
【００６０】
これにより、電子ボード装置は、画像を入力している最中に利用者Ａによって画像が遮蔽された場合であっても、入力している画像と同じ画像を表示領域１８に表示させるため、利用者Ａは、画像を入力する際の姿勢を気にしながら入力する必要がなく、操作性に優れる。
【００６１】
なお、本発明は、上記実施形態に限定されるものではなく、本発明の範囲内で上記実施形態に多くの修正および変更を加え得ることは勿論である。本実施形態では、遮蔽領域の上下方向は、画面の最上端から際下端の範囲に特定しているが、利用者Ａの身長から特定しても良い。具体的には、利用者Ａの身体的特徴、例えば、身長や体重といった情報を入力する入力装置を備える。利用者Ａは、あらかじめ、入力装置から身体情報を入力する。これにより、制御装置は、入力された身体情報、この場合では、身長から遮蔽領域１６の上下方向の範囲を特定する。
【００６２】
タッチパネルは、上記の形態以外でもよく、感圧式や静電式の入力センサを有するものであっても良い。
【図面の簡単な説明】
【００６３】
【図１】本発明に係る電子ボード装置を示す全体斜視図
【図２】電子ボード装置を示すブロック図
【図３】タッチパネルの構成図
【図４】遮蔽領域以外の領域に画像を入力しているときの表示装置と利用者の位置関係を示す図であって、（ａ）は電子ボード装置の正面から見た状態を示す図、（ｂ） は電子ボード装置の上面から見た状態を示す図
【図５】圧力検出センサのブロック図
【図６】利用者検出装置が焦電センサの場合を示す図
【図７】焦電センサのブロック図
【図８】遮蔽領域に画像を入力しているときの表示装置と利用者の位置関係を示す図であって、（ａ）は電子ボード装置の正面から見た状態を示す図、（ｂ） は電子ボード装置の上面から見た状態を示す図
【図９】表示された画像が遮蔽領域にある場合の動作のフローチャート
【図１０】入力最中の画像が遮蔽領域にある場合の動作のフローチャート
【符号の説明】
【００６４】
１      表示装置
２      台座
３      表示部
４      タッチパネル
５      基台
６      脚部
８      移動用車輪
９      電子機器
１０    制御装置
１１    利用者検出装置
１２ｘ  Ｘ方向ＬＥＤアレイ
１２ｙ  Ｙ方向ＬＥＤアレイ
１３ｘ  Ｘ方向フォトトランジスタアレイ
１３ｙ  Ｙ方向フォトトランジスタアレイ
１４    圧力検出センサ
１５    スイッチＩ／Ｆ
１６    遮蔽領域
１７    焦電センサ
１８    表示領域
【図１】
2009071557.tif 000003
【図２】
2009071557.tif 000004
【図３】
2009071557.tif 000005
【図４】
2009071557.tif 000006
【図５】
2009071557.tif 000007
【図６】
2009071557.tif 000008
【図７】
2009071557.tif 000009
【図８】
2009071557.tif 000010
【図９】
2009071557.tif 000011
【図１０】
2009071557.tif 000012